(57)【要約】      （修正有）【課題】常時水を供給可能でありながら、カビ等が発生しにくく植物の育成に好適なプランターを提供する。【解決手段】外容器１と、この外容器内に隙間を設けて収納可能となる内容器２と、この内容器の下方に形成された連通孔４とを備え、この内容器の下部内側に所定の長さに切断した籐片５を籐片の導管が上下方向になるように充填して籐吸水材層６を形成し、この籐吸水材層の上部に目詰まり防止用のフィルター層７を設置するとともに、このフィルター層の上方の内容器の上部内側に植物育成用の土Ｂを充填可能とし、外容器と内容器の隙間に水Ｃを充填し、連通孔を介して水を籐吸水材層に供給可能としてなることを特徴とする。【選択図】図１
0003171326.tif 000002
【実用新案登録請求の範囲】
【請求項１】
外容器と、この外容器内に隙間を設けて収納可能となる内容器と、この内容器の下方に形成された連通孔とを備え、
この内容器の下部内側に所定の長さに切断した籐片を籐片の導管が上下方向になるように充填して籐吸水材層を形成し、この籐吸水材層の上部に目詰まり防止用のフィルター層を設置するとともに、このフィルター層の上方の内容器の上部内側に植物育成用の土を充填可能とし、外容器と内容器の隙間に水を充填し、連通孔を介して水を籐吸水材層に供給可能としてなることを特徴とするプランター。
【考案の詳細な説明】
【技術分野】
【０００１】  本考案は、籐吸水材を使って植物を育てるプランターに関するものである。
【背景技術】
【０００２】  従来、室内で植物を栽培する鉢では、保水材を使用して植物に水を供給するものは多々見受けられる（例えば、特許文献１）。【０００３】  このような保水材を利用する植物用の鉢では、長時間放置しておくと、その保水されている水が水腐れになったり、また、カビ等が繁殖して植物の根腐れを引き起こすことになり、結果的に育成しようとしている植物を枯れさせたり、育成が困難な状況になることがあった。一方、このような問題に対して、特許文献１のように、保水材に抗菌機能を付加するものがあった。この特許文献１に示されるものは、鉢本体の素材もしくは保水材に抗菌機能を付与する構成を採用したものであり、上方から流下した余剰灌水による水腐れないしは根腐れなども好適に阻止することができるものである。
【先行技術文献】
【特許文献】
【０００４】
【特許文献１】実用新案登録３１２３０３６号公報
【考案の概要】
【考案が解決しようとする課題】
【０００５】  しかしながら、この特許文献１に示されるものは、鉢本体の底部ある保水材と植栽鉢内部との間に毛細管現象を利用した吸水材を配設したものであり、土への水の供給能力が少ないものであり、しかも、保水材の水は上方から流下した余剰灌水であり、したがって、その余剰灌水には土壌からの何らかの菌等が混じっているものであり、保水材、植栽鉢の内面や吸水材にカビが発生しやすいものであった。更に、吸水材にて供給されるその水自体にて土への影響が及び易いものであった。【０００６】  本考案は、以上のような従来の欠点に鑑み、常時水を供給可能でありながら、カビ等が発生しにくく植物の育成に好適なプランターを提供することを目的としている。
【課題を解決するための手段】
【０００７】  本考案の請求項１のプランターは、外容器と、この外容器内に隙間を設けて収納可能となる内容器と、この内容器の下方に形成された連通孔とを備え、この内容器の下部内側に所定の長さに切断した籐片を籐片の導管が上下方向になるように充填して籐吸水材層を形成し、この籐吸水材層の上部に目詰まり防止用のフィルター層を設置するとともに、このフィルター層の上方の内容器の上部内側に植物育成用の土を充填可能とし、外容器と内容器の隙間に水を充填し、連通孔を介して水を籐吸水材層に供給可能としてなることを特徴とする。
【考案の効果】
【０００８】  本考案の請求項１のプランターによれば、籐吸収材層によって、土に水を適宜供給可能であり、更に、籐が持つ抗菌作用によって土にカビが生えにくくなり、水の過不足による植物のダメージと細菌による土にカビが繁殖することを防止・抑制することができるなどの問題解決でき、植物の育成が好適にできるものである。
【図面の簡単な説明】
【０００９】
【図１】本考案の一実施例の植物が植栽された状態を示すプランターの断面側面図である。
【図２】本考案の一実施例の外容器と内容器の断面側面図である。
【考案を実施するための形態】
【００１０】  以下、図面を参照して、本考案のプランターＡの実施形態について説明する。図１、図２に示される本考案のプランターＡは、外容器１と内容器２と備えており、この外容器１内に隙間３を設けて内容器２が収納可能となっている。
【００１１】  図１において、外容器１の底部内方には突起部１０が形成されており、外容器１の中に内容器２が収納して配置された際に隙間３が形成されるものである。この隙間３には水が注ぎこまれて充填できるものである。外容器１と内容器２の隙間３の形成手段は、突起による手段だけでなく、隙間形成用に隙間形成体を外容器１と内容器２間に介在させてもよいものである。
【００１２】  内容器２の下部の内側には、所定の長さに切断された籐片５、５、・・・がこの籐片５の導管が上下方向になるように充填されており、籐片５の束となる籐吸水材層６が形成されている。この籐自体は曲げに強く耐久性のある丈夫な素材であり、また抗菌作用があるものであり、本考案はこの性質を利用したものである。籐の長手方向には導管があり、吸水性を持つもので、この導管にて吸水作用が働くものである。
【００１３】  この籐吸水材層６の上部には、目詰まり防止用のフィルター層７を設置されている。そして、フィルター層７の上方である内容器２の上部空間部に植物育成用の土Ｂが充填可能となっている。フィルター層７は、内容器２の上部空間部に充填された土Ｂによる籐片５の導管の目詰まりを防止するものである。
【００１４】  そして、この内容器２の底面には連通孔４、４・・・が形成されている。この連通孔４は、外容器１と内容器２の隙間３に充填された水Ｃを、籐吸水材層６に供給可能とするものである。連通孔４を介して水Ｃが籐吸水材層６に供給され、供給された水Ｃは、籐吸水材層６の各籐片５の導管を通って吸い上げられて、フィルター層７を介して土Ｂに供給されることになる。そして、土Ｂに植栽された植物Ｄの根に水Ｃが供給されることとなる。
【実施例】
【００１５】  本考案のプランターＡの外容器１、内容器２は、陶器製であってもよく、あるいは空きペットボトルを用いてもよいものである。【００１６】  籐吸水材層６の籐片５は、所定の長さ約６ｃｍに切断されており、籐片５の導管が上下方向になるように配置して、内容器２の下部内側に充填される。【００１７】  目詰まり防止用のフィルター層７は、不織布や除草シート、家庭用キッチンペーパータオル等のものが使用され、内容器２の上部空間部に充填された土Ｂによる籐片５の導管の目詰まりを防止しながら、水Ｃが透過する材質であればよいものである。【００１８】  内容器２の下方に形成される連通孔４は、内容器２の底面や側面に形成されているものであり、その大きさや形状は適宜応じて形成するものである。【００１９】  本考案のプランターＡに植えられる植物は、観葉植物や野菜である。特に、本考案のプランターＡは屋内で使用することが有用なものである。また、水Ｃは２〜３日で取り換えるとより植物育成によいものである。更に、夏場等に水Ｃが腐らないように、水Ｃに木酢液を添加してもよいものである。【００２０】  本考案を実施するための形態について、プランターについて述べたが、鉢形状のものであってもよく、それに応じて変更は適宜できるものである。
【実施例】
【００２１】  本考案のプランターＡに、びわの苗を植えて、３週間栽培した。びわは順調に成長し本考案目的の結果を得た。
【符号の説明】
【００２２】Ａ  プランター
Ｂ  土
Ｃ  水
Ｄ  植物
１  外容器
２  内容器
３  隙間
４  連通孔
５  籐片
６  籐吸水材層
７  フィルター層
【図１】
0003171326.tif 000003
【図２】
0003171326.tif 000004